(57)【要約】【課題】ショートカット機能の使い勝手、操作性を向上させる。【解決手段】特定の機能を実行させるショートカット機能として、第１のショートカット機能及び第２のショートカット機能を登録可能である。第１のショートカット機能は、特定の少なくとも１つの画面表示処理（例えば初期表示画面４２、確認画面４３の表示）を実行する通常手順を実行して、特定の機能を実行させるショートカット機能である。第２のショートカット機能は、上記特定の少なくとも１つの画面表示処理の実行を省略する簡易手順を実行して、特定の機能を実行させるショートカット機能である。【選択図】図２
2015194940.tif 000002
【特許請求の範囲】
【請求項１】
制御部を備え、
前記制御部は、
特定の機能を実行させるショートカット機能を登録する処理として、
特定の少なくとも１つの画面表示処理を実行する通常手順を実行し、前記特定の機能を実行させる第１のショートカット機能を登録する第１の登録処理と、
前記特定の少なくとも１つの画面表示処理の実行を省略する簡易手順を実行し、前記特定の機能を実行させる第２のショートカット機能を登録する第２の登録処理と、
を実行することを特徴とする機能実行装置。
【請求項２】
請求項１に記載の機能実行装置であって、
入力操作を受け付け可能な入力部を備え、
前記制御部は、
前記入力部を介して入力される設定要求に応じて、前記ショートカット機能に対する簡易実行モードを有効又は無効の何れかに設定するモード設定処理を実行し、
前記モード設定処理により前記簡易実行モードが無効に設定された場合に、前記第１の登録処理を実行し、
前記モード設定処理により前記簡易実行モードが有効に設定された場合に、前記第２の登録処理を実行する
ことを特徴とする機能実行装置。
【請求項３】
請求項２に記載の機能実行装置であって、
前記制御部は、前記第１の登録処理及び前記第２の登録処理の少なくとも一方によって複数の前記ショートカット機能を登録可能であり、
前記モード設定処理では、登録されている前記ショートカット機能毎に個別に、又は特定の条件でグループ化された複数の登録されている前記ショートカット機能に対して一括で、前記簡易実行モードを有効又は無効に設定可能である
ことを特徴とする機能実行装置。
【請求項４】
請求項１〜請求項３の何れか１項に記載の機能実行装置であって、
入力操作を受け付け可能な入力部を備え、
前記通常手順には、前記画面表示処理として、前記入力部に対する入力操作を要求する入力要求処理が少なくとも１つ含まれており、
前記簡易手順では、前記画面表示処理のうち、前記入力要求処理の少なくとも１つ又は全てが省略されている
ことを特徴とする機能実行装置。
【請求項５】
請求項１〜請求項４の何れか１項に記載の機能実行装置であって、
前記特定の機能として、当該機能実行装置の外部の送信先へデータを送信するデータ送信機能を有し、
前記制御部は、
前記第１の登録処理では、登録対象の前記特定の機能が前記データ送信機能である場合は、前記入力要求処理として、前記データ送信機能の実行の許可を示す入力操作を要求する処理を設定し、
前記第２の登録処理では、登録対象の前記特定の機能が前記データ送信機能である場合は、前記簡易手順に前記入力要求処理を含めない
ことを特徴とする機能実行装置。
【請求項６】
請求項１〜請求項５の何れか１項に記載の機能実行装置であって、
前記制御部は、
特定の待機期間中に表示部に表示させる待機画面として特定の初期画面及び前記ショートカット機能を選択させるための選択画面のどちらを表示させるかを設定する画面設定処理と、
前記待機期間中、前記待機画面として、前記初期画面及び前記選択画面のうち前記画面設定処理により設定されている画面を前記表示部に表示させる画面表示処理と、
を実行することを特徴とする機能実行装置。
【請求項７】
請求項６に記載の機能実行装置であって、
前記制御部は、登録されている何れかの前記ショートカット機能が実行された場合に、その実行終了後、その終了したショートカット機能が、前記簡易実行モードが無効に設定されている前記第１のショートカット機能である場合には、前記表示部の表示内容を前記初期画面に切り替え、前記終了したショートカット機能が、前記簡易実行モードが有効に設定されている前記第２のショートカット機能である場合には、前記表示部の表示内容を前記選択画面に切り替える画面切替処理を実行する
ことを特徴とする機能実行装置。
【請求項８】
請求項６又は請求項７に記載の機能実行装置であって、
前記選択画面には、登録されている前記ショートカット機能毎に個別に、各前記ショートカット機能を示す画像であるショートカット画像が表示され、
各前記ショートカット画像は、対応する前記ショートカット機能に対して前記簡易実行モードが有効及び無効のどちらに設定されているかに応じて異なる色が配色される
ことを特徴とする機能実行装置。
【請求項９】
特定の機能を実行させるショートカット機能を登録する処理ステップとして、
特定の少なくとも１つの画面表示処理を実行する通常手順を実行し、前記特定の機能を実行させる第１のショートカット機能を登録する第１の登録ステップと、
前記特定の少なくとも１つの画面表示処理のうち少なくとも１つの画面表示処理の実行を省略する簡易手順を実行し、前記特定の機能を実行させる第２のショートカット機能を登録する第２の登録ステップと、
を有することを特徴とする機能実行方法。
【請求項１０】
特定の機能を実行させるショートカット機能を登録する処理として、
特定の少なくとも１つの画面表示処理を実行する通常手順を実行し、前記特定の機能を実行させる第１のショートカット機能を登録する第１の登録処理と、
前記特定の少なくとも１つの画面表示処理のうち少なくとも１つの画面表示処理の実行を省略する簡易手順を実行し、前記特定の機能を実行させる第２のショートカット機能を登録する第２の登録処理と、
をコンピュータに実行させるためのプログラムを記録した、前記コンピュータが読み取り可能な記録媒体。
【発明の詳細な説明】
【技術分野】
【０００１】
本発明は、特定の機能を実行可能な機能実行装置、機能実行方法、及び特定の機能を実行させるためのプログラムが記録された記録媒体に関する。
【背景技術】
【０００２】
例えばプリンタ、スキャナ、ファクシミリ装置などの、各種の特定機能を実行可能な装置として、ショートカット機能を有する装置がある。ショートカット機能は、特定機能の実行に必要な設定値をユーザが予め記憶領域に記憶させておくことで、特定機能を実行させる際は記憶領域から設定値を呼び出して迅速に実行させることが可能な機能である（例えば、特許文献１参照。）。
【先行技術文献】
【特許文献】
【０００３】
【特許文献１】特開２００８−２２１８３号公報
【発明の概要】
【発明が解決しようとする課題】
【０００４】
ショートカット機能を利用して特定機能を実行させる場合、特定機能の種類によっては、その性質上、ショートカット機能の処理手順の中に、ユーザに対して入力操作を要求して入力操作がなされるまで待機するような処理を組み込むこともある。例えば、スキャナにおいては、スキャンしたデータを当該スキャナとは別の送信先へ送信するスキャンデータ送信機能に対して、ショートカット機能を登録する場合がある。この場合、誤送信を防ぐために、ショートカット機能の実行過程で、送信先の確認画面を表示してユーザに確認入力を要求し、確認入力がなされた場合に送信処理に進むようにすることが多い。
【０００５】
ショートカット機能を実行させたときに上記のような確認要求や入力要求が行われると、ユーザに対して安心感を与えることはできるが、ユーザによる作業が必要な分、特定機能完了までの所要時間が長くなる。
【０００６】
また、実行させるショートカット機能の内容や利用形態によっては、たとえ一般的には確認作業を組み込んだ方が良いような内容であっても、ユーザにとっては必ずしもそのような作業は必要ない場合もある。具体例としては、定型業務で同じショートカット機能を繰り返し実行する場合が挙げられる。このような場合、ショートカット機能を実行する度に、ユーザによる処理確認作業や入力操作などの作業が必要となると、ユーザとしては非常に煩わしく、使い勝手、操作性が悪い。
【０００７】
本発明は上記課題に鑑みなされたものであり、ショートカット機能の使い勝手、操作性を向上させることを目的とする。
【課題を解決するための手段】
【０００８】
上記課題を解決するためになされた本発明は、制御部を備えた機能実行装置である。制御部は、特定の機能を実行させるショートカット機能を登録する処理として、第１のショートカット機能を登録する第１の登録処理と、第２のショートカット機能を登録する第２の登録処理とを実行可能である。
【０００９】
第１のショートカット機能は、特定の少なくとも１つの画面表示処理を実行する通常手順を実行し、特定の機能を実行させるショートカット機能である。第２のショートカット機能は、上記特定の少なくとも１つの画面表示処理の実行を省略する簡易手順を実行し、特定の機能を実行させるショートカット機能である。
【００１０】
本発明では、同じ特定の機能を実行させるためのショートカット機能として、通常手順が実行される第１のショートカット機能と、簡易手順が実行される第２のショートカット機能を登録できる。
【００１１】
本発明によれば、機能実行装置のユーザは、ショートカット機能を通常手順で実行させるかそれとも簡易手順で迅速に実行させるかを任意に選択することができる。そのため、ショートカット機能の使い勝手、操作性が向上する。
【００１２】
なお、本発明は、前述した機能実行装置の他、その機能実行装置で用いられている機能実行方法、機能実行装置を構成要素とする各種システム、機能実行装置により実行される各処理をコンピュータに実行させるためのプログラム、そのプログラムが記録された記録媒体など、種々の形態で実現することができる。
【図面の簡単な説明】
【００１３】
【図１】実施形態の画像読取システムの概略構成を示すブロック図である。
【図２】ショートカット実行時における、ワンタッチ機能の有効時と無効時の処理の違いを説明するための説明図である。
【図３】ショートカットの新規登録時又は編集時の処理手順の一部を説明するための説明図である。
【図４】ショートカットの新規登録時の処理手順の一部（図３の続き）又は編集時の処理手順の一部（図５の続き）を説明するための説明図である。
【図５】ショートカットの編集時の処理手順の一部（図３の続き）を説明するための説明図である。
【図６】ホーム画面の設定方法を説明するための説明図である。
【図７】ワンタッチ機能の有効、無効を一括して切り替える方法を説明するための説明図である。
【図８】スキャナのＣＰＵが実行する表示制御処理の一部を示すフローチャートである。
【図９】スキャナのＣＰＵが実行する表示制御処理の一部（図８のＳ１５０からの分岐）を示すフローチャートである。
【発明を実施するための形態】
【００１４】
以下に、本発明の好適な実施形態を図面に基づいて説明する。
（１）画像読取システムの構成
本実施形態の画像読取システム１は、図１に示すように、スキャナ１０とＰＣ（Personal Computer ）３０とを備えている。スキャナ１０とＰＣ３０は、ＬＡＮ（Local Area Network）３を通じて相互にデータ通信可能である。
【００１５】
スキャナ１０は、原稿の画像を読み取る画像読取機能、読み取った画像のデータ（以下「スキャンデータ」という）を各種の処理方法で処理するスキャンデータ処理機能などを備えている。スキャンデータ処理機能の具体例については後述する。
【００１６】
スキャナ１０は、ＣＰＵ１１、ＲＯＭ１２、ＲＡＭ１３、ＮＶＲＡＭ１４、画像読取部１５、操作部１６、表示部１７、ネットワークインタフェース１８、ＵＳＢインタフェース１９、及び回線接続部２０を備えている。
【００１７】
ＣＰＵ１１は、ＲＯＭ１２やＮＶＲＡＭ１４などに記憶されている各種プログラムに従ってスキャナ１０内の各部の制御および各種演算を実行する。ＲＡＭ１３は、ＣＰＵ１１から直接アクセスされるメインメモリとして利用される。ＮＶＲＡＭ１４は、電気的に書き換え可能な不揮発性メモリである。ＮＶＲＡＭ１４には、スキャナ１０に関する各種設定情報が記憶されている。後述するショートカット機能やワンタッチ機能の設定・登録情報も、ＮＶＲＡＭ１４に記憶される。後述する表示制御処理（図８，図９参照）のプログラムを含む、画像読取機能を実現するためのプログラムは、ＲＯＭ１２又はＮＶＲＡＭ１４に記憶されている。
【００１８】
画像読取部１５は、イメージセンサを備え、原稿の画像を読み取ってその画像を表す画像データを生成する。操作部１６は、ユーザによる入力操作を受け付ける入力装置である。操作部１６は、タッチパネル２１、操作ボタン（不図示）などの各種の入力手段を有する。表示部１７は、情報を表示可能な表示デバイスとしてディスプレイ（例えば液晶ディスプレイ）２２を有する。ディスプレイ２２の表示領域には、タッチパネル２１が重畳配置されている。ネットワークインタフェース１８は、スキャナ１０をＬＡＮ３に接続するための通信インタフェースである。ＵＳＢインタフェース１９は、周知のＵＳＢ（Universal Serial Bus）規格にてデータ通信を行うためのインタフェースである。
【００１９】
ＰＣ３０は、ＣＰＵ３１、ＲＯＭ３２、ＲＡＭ３３、ハードディスクドライブ（以下「ＨＤＤ」という）３４、操作部３５、表示部３６、及びネットワークインタフェース３７を備えている。
【００２０】
ＣＰＵ３１は、ＲＯＭ３２やＨＤＤ３４に記憶されている各種プログラムを実行することによってＰＣ３０の各部や外部機器（スキャナ１０を含む）を制御する。ＲＯＭ３２には、ＣＰＵ３１によって実行される各種プログラムやデータ等が記憶されている。ＲＡＭ３３は、ＣＰＵ３１が各種処理を実行するための主記憶装置として用いられる。ＨＤＤ３４には、ＯＳ（Operating System）や各種デバイスドライバ、各種アプリケーションソフトなどがインストールされている。操作部３５は、キーボードや各種ポインティングデバイスなどを有する。表示部３６は、液晶ディスプレイや有機ＥＬディスプレイなどの各種の表示デバイスを有する。ネットワークインタフェース３７は、ＰＣ３０をＬＡＮ３に接続するための通信インタフェースである。
【００２１】
ＬＡＮ３には、ＦＴＰサーバ５０が接続されている。また、ＬＡＮ３は、インターネット１００に接続されている。インターネット１００には、サーバ１１０を含む複数の情報処理装置が接続されている。スキャナ１０、ＰＣ３０、及びＦＴＰサーバ５０は、ＬＡＮ３を通じて相互にデータ通信可能である。また、スキャナ１０、ＰＣ３０、及びＦＴＰサーバ５０は、インターネット１００に接続されている各種の情報処理装置とデータ通信可能である。
【００２２】
（２）スキャンデータ処理機能の説明
本実施形態のスキャナ１０では、画像読取部１５で読み取った原稿のスキャンデータを処理する機能として、複数種類のスキャンデータ処理機能を有している。本実施形態では、スキャンデータ処理機能として、例えば、スキャンｔｏＰＣ、スキャンｔｏＵＳＢメモリ、スキャンｔｏＥメール送信、スキャンｔｏＦＡＸ、スキャンｔｏＦＴＰサーバ、スキャンｔｏネットワーク、スキャンｔｏクラウドなどがある。
【００２３】
スキャンｔｏＰＣは、スキャンデータを、スキャナ１０に接続されているＰＣ（例えばＰＣ３０）に送信する機能である。スキャンｔｏＵＳＢメモリは、スキャンデータを、ＵＳＢインタフェース１９に接続されているＵＳＢメモリに送信して保存させる機能である。スキャンｔｏＥメール送信は、スキャンデータを特定の電子メールアドレス宛に電子メールで送信する機能である。スキャンｔｏＦＡＸは、スキャンデータを回線接続部２０を介してファクシミリ送信する機能である。スキャンｔｏＦＴＰサーバは、スキャンデータをＦＴＰサーバに送信する機能である。スキャンｔｏＦＴＰサーバの機能で送信可能なＦＴＰサーバは、ＬＡＮ３に接続されているＦＴＰサーバ５０に限らず、インターネット１００に接続されているＦＴＰサーバ（不図示）も含まれる。スキャンｔｏネットワークは、スキャンデータをインターネット１００に接続された各種のサーバ（サーバ１１０を含む）へ送信する機能である。スキャンｔｏクラウドは、スキャンデータを、写真や書類のアップロードや閲覧ができるウェブサービスにアップロードする機能である。
【００２４】
なお、上述した各種のスキャンデータ処理機能は、それぞれ、さらに細かく分類することができる。例えば、スキャンｔｏＰＣについては、より詳しくは、スキャンｔｏＰＣ（ファイル）、スキャンｔｏＰＣ（ＯＣＲ）、スキャンｔｏＰＣ（イメージ）などがある。
【００２５】
（３）ショートカット機能の説明
上述した各種のスキャンデータ処理機能を利用する際には、通常、ユーザは複数の手順を踏んで実行させる必要がある。例えば、スキャンｔｏＰＣの機能を利用したい場合、少なくとも、スキャンｔｏＰＣの種類を選択する入力操作と、送信先のＰＣを指定する入力操作が必要となる。また、それぞれの入力操作の後に、入力内容をユーザに確認させる処理が含まれる場合も多い。また、例えば、スキャンｔｏＥメールの機能を利用したい場合は、少なくとも、送信先のメールアドレスの選択又は入力が必要となる。さらに必要に応じて、スキャン時の各種設定値を設定する必要がある。各種設定値としては、例えば、両面スキャン、カラー設定、画質、原稿サイズ、ファイル形式、ファイルサイズ、色補正などに関する設定値がある。スキャンｔｏＵＳＢの機能を利用する場合も、必要に応じて、上述した各種設定値を設定する必要がある。そのため、上述した各種のスキャンデータ処理機能を通常の手順で実行させようとすると、非常に手間がかかる。
【００２６】
そこで、本実施形態のスキャナ１０では、上述した各種のスキャンデータ処理機能を、ショートカット登録することができる。その登録したショートカットを実行させることで、スキャンデータ処理機能を、ユーザの手数を減らして実行させることができる。
【００２７】
本実施形態のスキャナ１０では、ショートカットを合計で少なくとも４８種類登録することができる。ショートカットを登録又は実行させるためには、ディスプレイ２２にショートカットメニュー画面４１を表示させる必要がある。図２の最上段に、ショートカットメニュー画面４１の一例が示されている。
【００２８】
図２に示すように、ショートカットメニュー画面４１には、タブ表示領域４１１と、ショートカットボタン表示領域４１２が割り当てられている。タブ表示領域４１１には、第１タブ〜第８タブの８つのタブが表示され、そのうちユーザにより選択された１つのタブが選択状態として表示される。図２は、最も左側の第１タブが選択されている例を示している。
【００２９】
ショートカットボタン表示領域４１２には、選択されているタブに対応した６個のショートカットボタンが表示される。つまり、１つのタブに対して６個のショートカットボタンが割り当てられている。タブを切り替えると、ショートカットボタン表示領域４１２内のショートカットボタンも、切り替え後のタブに対応した６個のショートカットボタンに切り替わる。
【００３０】
ショートカットボタンには複数の種類がある。例えば、図２に例示するように、登録されている特定のショートカットが割り当てられていてそのショートカットを実行させることが可能な登録済みショートカットボタン４１ａ，４１ｂ、ショートカットがまだ割り当てられていないショートカット登録ボタン４１ｃなどがある。登録済みショートカットボタンを選択する入力操作を行うと、その登録済みショートカットボタンに割り当てられて登録されているショートカットが実行される。
【００３１】
なお、入力操作としては種々の操作方法を採用できるが、本実施形態では、操作対象に対するタップ（詳しくは、タッチパネル２１における、操作対象が表示されている領域へのタップ）を例に挙げて説明する。ショートカットメニュー画面４１には、右上隅に総合設定ボタン４１ｄが表示される。この総合設定ボタン４１ｄをタップすると、後述するように、登録されているショートカットの内容を編集することができる。
【００３２】
図２に示すショートカットメニュー画面４１において、ショートカットボタン表示領域４１２内における、右側下部に表示されている第１の登録済みショートカットボタン４１ａと、中央下部に表示されている第２の登録済みショートカットボタン４１ｂには、いずれも、スキャンｔｏＵＳＢのショートカットが割り当てられている。
【００３３】
例えば、第２の登録済みショートカットボタン４１ｂをタップすると、割り当てられているスキャンｔｏＵＳＢのショートカットが実行される。具体的には、まず初期表示画面４２が一定時間表示される。初期表示画面４２は、図２に示すように、画面中央のショートカット名表示領域４２１にショートカットの名称が表示された画面である。初期表示画面４２を一定時間表示させることで、ユーザに対し、これから実行されるショートカットを認識させる。
【００３４】
初期表示画面４２が一定時間表示された後は、確認画面４３が表示される。確認画面４３には、図２に示すように、機能実行開始ボタン４３ａ、設定値変更ボタン４３ｂ、及び登録ボタン４３ｃが表示される。また、確認画面４３は、設定内容表示領域４３１を有する。この設定内容表示領域４３１には、選択されたショートカットの機能（ここではスキャンｔｏＵＳＢ）に関する各種設定値が表示される。ユーザは、設定内容表示領域４３１に表示されている情報を見ることで、これから実行される機能の詳細な内容を確認することができる。
【００３５】
確認画面４３が表示されている状態で、ユーザは、設定値変更ボタン４３ｂをタップすることで、設定値を変更することができる。なお、ショートカットの実行開始後に確認画面４３で設定値変更ボタン４３ｂをタップした場合は、登録されている設定値を変更できるものの、その変更内容は、現在実行中のスキャン処理機能に限り有効とされ、現在実行中のショートカットに対応したスキャン処理機能が終了すると、その変更内容は破棄される。但し、設定値を変更した後に登録ボタン４３ｃをタップした場合は、現在登録されている設定値がその変更された設定値に更新され、以後はその変更された設定値が用いられる。
【００３６】
確認画面４３が表示されている状態では、ユーザが機能実行開始ボタン４３ａをタップしない限り、確認画面４３の表示状態が継続する。ユーザが機能実行開始ボタン４３ａをタップすると、ショートカットとして登録されているスキャンｔｏＵＳＢの機能が実行され、ディスプレイ２２の表示内容は機能実行中画面４４に切り替わる。機能実行中画面４４は、図２に示すように、実行中機能表示領域４４１を有し、この実行中機能表示領域４４１に、実行中の機能が簡略されて表示される。スキャンｔｏＵＳＢの機能の実行中は、機能実行中画面４４が継続して表示される。スキャンｔｏＵＳＢの機能が終了すると、ホーム画面に切り替わる。ホーム画面とは、例えばスキャナ１０の起動時、ホームキー（不図示）の押下時、無操作タイムアウト時、機能実行完了時などの、特定の待機期間に表示される画面である。本実施形態では、ホーム画面を、複数種類の画面の中から何れかを選択して設定することができる。選択可能なホーム画面の１つとして、ショートカットメニュー画面４１も含まれている。ホーム画面の設定方法については後で詳述する。
【００３７】
（４）ワンタッチ機能の説明
ショートカットを登録することで、所望のスキャンデータ処理機能を少ない手数で実行させることができる。しかし、上述したスキャンｔｏＵＳＢのショートカットのように、ユーザの入力操作が必要なショートカットもある。本実施形態では、スキャンデータをスキャナ１０の外部に送信するようなスキャンデータ処理機能に対するショートカットについては、そのほとんどが、上述した確認画面４３またはそれに類する画面が表示される。その主な目的は、誤送信の抑止である。そのため、ユーザは、スキャンデータを外部に送信するショートカットを実行させる際は、確認画面４３内の機能実行開始ボタン４３ａをタップ操作する必要がある。このような確認操作は、スキャンデータの誤送信を抑止できるという点では有用であるが、ユーザにとっては面倒な作業である。
【００３８】
そこで、本実施形態では、ショートカットを、確認画面４３の表示処理（確認画面４３への入力操作を受け付ける処理を含む）を含む通常手順を実行させて該当機能を実行させる通常パターンで実行させることができるのに加え、初期表示画面４２及び確認画面４３の表示が省略された簡易手順を実行させて該当機能を実行させる簡易パターンで実行させることもできる。
【００３９】
具体的には、スキャナ１０では、個々のショートカットに対して、ワンタッチ機能を有効又は無効に設定できる。ワンタッチ機能とは、ショートカットを簡易パターンで実行させるための機能である。ワンタッチ機能が無効に設定されているショートカットを実行させた場合には、通常手順が実行される通常パターンで該当機能が実行される。ワンタッチ機能が有効に設定されているショートカットを実行させた場合には、簡易手順が実行される簡易パターンで該当機能が実行される。
【００４０】
図２の例では、第１の登録済みショートカットボタン４１ａに割り当てられているショートカットに対してはワンタッチ機能が有効に設定されており、第２の登録済みショートカットボタン４１ｂに割り当てられているショートカットに対してはワンタッチ機能が無効に設定されている。そのため、第２の登録済みショートカットボタン４１ｂをタップすると、これに割り当てられているスキャンデータ処理機能は、初期表示画面４２の表示及び確認画面４３の表示という２つの画面表示処理を経て実行される。一方、第１の登録済みショートカットボタン４１ａをタップすると、これに割り当てられているスキャンデータ処理機能は、上記の２つの画面表示処理が全て省かれて実行される。即ち、第１の登録済みショートカットボタン４１ａをタップすると、これに割り当てられているスキャンデータ処理機能がすぐに開始され、ディスプレイ２２の表示内容は機能実行中画面４４に切り替わる。
【００４１】
なお、ワンタッチ機能が有効に設定されているか否かの判断は、ショートカットボタンの色によって判別することができる。本実施形態では、ワンタッチ機能が有効に設定されているショートカットについてはその登録済みショートカットボタンが特定の色（例えば緑色）で表示され、その他のショートカットボタンはその特定の色とは別の色で表示される。
【００４２】
このように、本実施形態では、所望の機能をショートカット登録することで短時間で実行させることができるのに加え、更に、ワンタッチ機能を有効に設定することで、より迅速に（本実施形態では全ての画面表示処理が省かれて）実行させることができる。ワンタッチ機能の有効、無効の設定は、ショートカット毎に個別に可能である。
【００４３】
（５）ショートカットの新規登録及び編集の手順
ショートカットを新規登録する場合及び登録済みのショートカットを編集する場合の具体的手順について説明する。新規登録及び編集のいずれも、ショートカットメニュー画面４１から開始することができる。
【００４４】
まず、新規登録時の具体的手順について、図３〜図４を用いて説明する。ショートカットを新規登録する際は、新規登録したいタブを選択し、その後、そのタブ内の６つのショートカットボタンのうちまだショートカットが割り当てられていないショートカット登録ボタンを選択する。図３に示すショートカットメニュー画面４１において、６つのショートカットボタンのうち左下のショートカット登録ボタン４１ｃにはまだショートカットが割り当てられていない。そこで、そのショートカット登録ボタン４１ｃをタップすると、初期選択画面５１が表示される。
【００４５】
初期選択画面５１には、大分類された機能毎に選択ボタンが表示される。例えばスキャンｔｏＵＳＢのショートカットを新規登録したい場合は、初期選択画面５１に表示されている複数の選択ボタンのうち、スキャン選択ボタン５１ａをタップすればよい。スキャン選択ボタン５１ａをタップすると、作成種類選択画面５２が表示される。この作成種類選択画面５２には、初期選択画面５１で選択された機能に対応したより詳細な機能毎に選択ボタンが表示される。具体的には、スキャンデータ処理機能の１つである、スキャンｔｏＵＳＢ、スキャンｔｏＰＣ、スキャンｔｏＥメールなどの機能毎に、選択ボタンが表示される。
【００４６】
スキャンｔｏＵＳＢのショートカットを新規登録したい場合は、作成種類選択画面５２において、スキャンｔｏＵＳＢ選択ボタン５２ａをタップすればよい。スキャンｔｏＵＳＢ選択ボタン５２ａをタップすると、作成前確認画面５３が表示される。作成前確認画面５３には、これから作成されるショートカットに関する情報とＯＫボタン５３ａとが表示される。ユーザがＯＫボタン５３ａをタップすると、図４に示すように、詳細設定画面５４が表示される。
【００４７】
詳細設定画面５４には、ショートカット登録ボタン５４ａ及び設定値変更ボタン５４ｂが表示される。また、詳細設定画面５４は、設定内容表示領域５４１を有する。この設定内容表示領域５４１には、現在作成中のショートカットにおける各種設定値の設定内容が表示される。設定値変更ボタン５４ｂをタップすると、スキャンｔｏＵＳＢの実行に必要な各種の設定値を設定、選択させるための選択画面（不図示）が表示される。ユーザは、その選択画面で必要に応じて設定値を選択することで、スキャンｔｏＵＳＢのショートカットを任意の内容に設定することができる。選択画面で選択された設定値は、詳細設定画面５４の設定内容表示領域５４１に反映される。ユーザは、設定内容表示領域５４１に表示されている情報を見ることで、作成中のショートカット機能の詳細内容を確認することができる。
【００４８】
詳細設定画面５４において、ユーザがショートカット登録ボタン５４ａをタップすると、設定内容確認画面５５が表示され、作成中のショートカットの詳細内容が表示される。ユーザは、設定内容確認画面５５の内容を見て、作成中のショートカットの詳細内容を最終確認することができる。そして、設定内容確認画面５５に表示されているＯＫボタン５５ａをタップすると、設定内容が確定し、名称入力画面５６が表示される。
【００４９】
名称入力画面５６には、ソフトウェアキーボードが表示され、ユーザはそのソフトウェアキーボードを用いて、ショートカットの名称を入力することができる。入力した内容は、ショートカット名入力領域５６１に表示される。そして、名称入力画面５６に表示されているＯＫボタン５６ａをタップすると、名称が確定し、ワンタッチ機能設定画面５７が表示される。
【００５０】
ワンタッチ機能設定画面５７は、作成中のショートカットに対するワンタッチ機能を有効又は無効に設定するための画面である。ワンタッチ機能設定画面５７には、チェックボックス５７ａとＯＫボタン５７ｂが表示される。図４は、チェックボックス５７ａにチェックマークが入っていない状態を示している。チェックボックス５７ａ又はその近傍がタップされる度に、チェックボックス５７ａにチェックマークが入った状態と入っていない状態とが交互に切り替わる。
【００５１】
チェックマークが入っていない状態でＯＫボタン５７ｂをタップすると、作成中のショートカットが新規登録されると共に、そのショートカットに対するワンタッチ機能が無効に設定されて、ホーム画面に戻る。これにより、以後ショートカットメニュー画面４１が表示されたときは、ショートカットボタン表示領域４１２における左下のショートカットボタンは、新規登録されたショートカットが割り当てられてそのショートカットの名称が表示された登録済みショートカットボタンとなる。また、その登録済みショートカットボタンは、ワンタッチ機能が無効設定されていることを示す色で表示される。
【００５２】
チェックボックス５７ａにチェックマークが入っている状態でＯＫボタン５７ｂをタップすると、作成中のショートカットが新規登録されると共に、そのショートカットに対するワンタッチ機能が有効に設定されて、ホーム画面に戻る。これにより、以後ショートカットメニュー画面４１が表示されたときは、ショートカットボタン表示領域４１２における左下のショートカットボタンは、新規登録されたショートカットが割り当てられてそのショートカットの名称が表示された登録済みショートカットボタンとなる。また、その登録済みショートカットボタンは、ワンタッチ機能が有効設定されていることを示す色（例えば緑色）で表示される。
【００５３】
次に、登録済みのショートカットを編集する場合の具体的手順について、図３〜図５を用いて説明する。図３の最上段に示すショートカットメニュー画面４１において、総合設定ボタン４１ｄをタップすると、図５の最上段に示す設定メニュー画面６１が表示される。設定メニュー画面６１には、ショートカット設定選択ボタン６１ａを含む、各種設定項目毎の選択ボタンが表示される。ショートカット設定選択ボタン６１ａをタップすると、ショートカット設定方法選択画面６２が表示される。
【００５４】
ショートカット設定方法選択画面６２には、ショートカットを個別に編集するための個別設定選択ボタン６２ａと、ワンタッチ機能の有効・無効の設定を一括して切り替えるためのワンタッチ機能設定選択ボタン６２ｂが表示される。個別設定選択ボタン６２ａをタップすると、設定対象選択画面６３が表示される。
【００５５】
設定対象選択画面６３は、表示内容自体は基本的にショートカットメニュー画面４１と同じであり、各タブと、現在選択されているタブに対応した６個のショートカットボタンが表示される。この設定対象選択画面６３で、編集したいショートカットを選択してタップすると、設定種別選択画面６４が表示される。
【００５６】
設定種別選択画面６４は、設定対象選択画面６３で選択されたショートカットに対して、編集、登録の消去、又は名称変更のうちどれを行うかを選択させるための画面である。設定種別選択画面６４において編集選択ボタン６４ａをタップすると、設定対象選択画面６３で選択されたショートカットを対象とした詳細設定画面５４（図４の最上段）が表示される。詳細設定画面５４が表示されると、以後は、新規登録の場合と同様の流れで、設定値の変更、変更内容確認、名称変更、ワンタッチ機能の有効・無効の設定変更が可能となる。
【００５７】
（６）ホーム画面設定
次に、ホーム画面の設定方法について説明する。本実施形態のスキャナ１０では、ホーム画面を、３種類の基本画面、及び８種類のショートカットメニュー画面のうち何れかに任意に設定可能である。なお、８種類のショートカットメニュー画面とは、第１タブ〜第８タブのそれぞれに対応したショートカットメニュー画面である。
【００５８】
スキャナ１０の製造後、初めて起動されたときは、ホーム画面として、図６の最上段に示すように、基本画面の１つである第１スキャンメニュー画面７１が表示される。第１スキャンメニュー画面７１には、その右上隅に総合設定ボタン７１ａが表示され、左下隅にショートカット選択ボタン７１ｂが表示される。なお、ホーム画面の種類にかかわらず、どのホーム画面にも、その右上隅に総合設定ボタンが表示される。
【００５９】
ホーム画面を変更したい場合は、総合設定ボタン７１ａをタップすればよい。総合設定ボタン７１ａをタップすると、図６に示すように、基本設定メニュー画面７２が表示される。基本設定メニュー画面７２には、表示ボタン設定選択ボタン７２ａを含む、各種基本設定項目毎の選択ボタンが表示される。表示ボタン設定選択ボタン７２ａをタップすると、ボタン設定選択画面７３が表示される。
【００６０】
ボタン設定選択画面７３には、ホームボタン設定選択ボタン７３ａが表示される。このホームボタン設定選択ボタン７３ａをタップすると、ホームボタン設定画面７４が表示される。ホームボタン設定画面７４には、設定可能な計１１種類のホーム画面を示す選択ボタンがリストアップされる。なお、同時に表示可能なボタン数は最大４つであるため、表示されていない他の選択ボタンを表示させたい場合は、画面に対して上下方向にフリック、スワイプ等すればよい。また、図６に例示したホームボタン設定画面７４において、「Ｓｃａｎ１」を選択すれば、第１スキャンメニュー画面７１がホーム画面に設定される。「Ｓｈｏｒｔｃｕｔ１」と表示されている第１ショートカット選択ボタン７４ａを選択すると、第１タブのショートカットボタンが表示されたショートカットメニュー画面４１（図２参照）がホーム画面に設定される。
【００６１】
ホーム画面としてショートカットメニュー画面４１が選択されると、以後、待機期間中はホーム画面としてショートカットメニュー画面４１が表示される。そのため、ショートカットメニュー画面４１において例えば第１の登録済みショートカットボタン４１ａをタップしてショートカットを実行させた後、そのショートカットに対応したスキャンデータ処理機能が完了すると、再び、ホーム画面としてのショートカットメニュー画面４１に戻る。
【００６２】
一方、ホーム画面として、８種類のショートカットメニュー画面とは異なる、３種類の基本画面の何れかに設定されている場合に、ショートカットを実行させたい場合は、ホーム画面の左下に表示されるショートカット選択ボタン７１ｂをタップすればよい。ショートカット選択ボタン７１ｂをタップすると、ショートカットメニュー画面４１が表示され、ショートカットを選択して実行させることができる。この場合、ショートカットの実行後は、再び、３種類の基本画面の何れかに設定されているホーム画面に戻る。
【００６３】
但し、実行されたショートカットが、ワンタッチ機能が有効に設定されているショートカットである場合は、そのショートカット実行後は、ホーム画面に戻らず、元のショートカットメニュー画面４１（詳しくは実行させたショートカットのショートカットボタンが表示されているショートカットメニュー画面）に戻る。そのため、例えば同じショートカットを繰り返し実行させたい場合には、ホーム画面が基本画面に設定されていても、繰り返し実行させている間はホーム画面に戻らずに都度ショートカットメニュー画面に戻るため、便利である。なお、ショートカットメニュー画面に戻ったものの、一定時間、入力操作がなされなかった場合は、３種類の基本画面の何れかに設定されているホーム画面に戻る。
【００６４】
（７）ワンタッチ機能の一括変更
次に、ワンタッチ機能を一括変更する機能について説明する。図７に示すように、ショートカットメニュー画面４１の総合設定ボタン４１ｄをタップすると、設定メニュー画面６１が表示される。そして、設定メニュー画面６１においてショートカット設定選択ボタン６１ａをタップすると、ショートカット設定方法選択画面６２が表示される。ここまでは、図３及び図５で説明した編集時の流れと同じである。
【００６５】
ショートカット設定方法選択画面６２において、ワンタッチ機能設定選択ボタン６２ｂをタップすると、一括設定選択画面８１が表示される。一括設定選択画面８１には、全選択ボタン８１ａと、タブ毎選択ボタン８１ｂと、機能種別毎選択ボタン８１ｃが表示される。全選択ボタン８１ａは、登録されている全てのショートカットを対象としてワンタッチ機能を一括設定するためのボタンである。タブ毎選択ボタン８１ｂは、第１タブ〜第８タブのうち何れか１つのタブについて、そのタブ内の全てのショートカットを対象としてワンタッチ機能を一括設定するためのボタンである。機能種別毎選択ボタン８１ｃは、同じ種類の機能に対するショートカットを対象としてワンタッチ機能を一括設定するためのボタンである。例えば、スキャンｔｏＵＳＢに関するショートカットが複数登録されている場合には、それら複数のショートカットに対して一括してワンタッチ機能を設定できる。
【００６６】
一括設定選択画面８１において、全選択ボタン８１ａをタップすると、ワンタッチ機能設定画面８２が表示される。ワンタッチ機能設定画面８２には、有効設定ボタン８２ａと無効設定ボタン８２ｂが表示される。一括設定選択画面８１で全選択ボタン８１ａがタップされたことによりワンタッチ機能設定画面８２が表示されている場合に、有効設定ボタン８２ａをタップすると、全てのショートカットについてワンタッチ機能が有効に設定される。逆に、無効設定ボタン８２ｂをタップすると、全てのショートカットについてワンタッチ機能が無効に設定される。
【００６７】
一括設定選択画面８１において、タブ毎選択ボタン８１ｂをタップすると、タブ選択画面８３が表示される。タブ選択画面８３には、第１タブ〜第８タブの各タブ毎にタブ選択ボタンが表示される。タブ選択画面８３において、設定したいタブに対応したタブ選択ボタンをタップすると、ワンタッチ機能設定画面８２が表示される。これにより、タブ選択画面８３で選択したタブ内の各ショートカットに対して、一括して、ワンタッチ機能の有効、無効を設定できる。
【００６８】
一括設定選択画面８１において、機能種別毎選択ボタン８１ｃをタップすると、種別選択画面８４が表示される。種別選択画面８４には、ショートカットを登録可能な機能の種別毎に種別選択ボタンが表示される。種別選択画面８４において、設定したい機能種別に対応した種別選択ボタンをタップすると、ワンタッチ機能設定画面８２が表示される。これにより、種別選択画面８４で選択した機能に関する全てのショートカットに対して、一括して、ワンタッチ機能の有効、無効を設定できる。
【００６９】
（８）表示制御処理
次に、スキャナ１０のＣＰＵ１１が実行する表示制御処理について、図８を用いて説明する。ＣＰＵ１１が表示制御処理を実行することで、上述した各種の機能が実現される。ＣＰＵ１１は、起動すると、各種の初期処理を実行した後、図８の表示制御処理を開始する。ＣＰＵ１１は、表示制御処理を開始すると、Ｓ１１０で、ホームボタン設定値を読み込む。ホームボタン設定値とは、図６の最下段に例示したホームボタン設定画面７４において選択されたボタンを示す値であり、ホーム画面としてどの画面を表示させるべきかを示す値である。
【００７０】
Ｓ１２０では、設定されているホーム画面がショートカットメニュー画面４１か否か判断する。ホーム画面がショートカットメニュー画面４１でない場合は（Ｓ１２０：ＮＯ）、Ｓ２４０で、ホーム画面対応処理を実行して、Ｓ１１０に戻る。ホーム画面対応処理は、例えば、設定されているホーム画面をディスプレイ２２に表示させて、そのホーム画面で入力操作を受け付ける処理である。なお、ホーム画面において、ショートカット選択ボタン７１ｂ（図６参照）がタップされた場合は、ショートカットメニュー画面４１を表示させるべく、Ｓ１３０に進む。
【００７１】
ホーム画面がショートカットメニュー画面４１に設定されている場合は（Ｓ１２０：ＹＥＳ）、Ｓ１３０で、各登録済みショートカットボタンの表示色を、ワンタッチ機能の有効無効設定に応じた色に設定する。Ｓ１４０では、ショートカットメニュー画面４１を表示する。Ｓ１５０では、登録済みショートカットボタンが押されたか否か判断する。なお、「押された」とは、例えばタップされたことを意味する。登録済みショートカットボタンが押された場合は（Ｓ１５０：ＹＥＳ）、Ｓ１６０で、その押された登録済みショートカットボタンに対してワンタッチ機能が有効に設定されているか否か判断する。有効に設定されている場合はＳ１９０に進み、無効に設定されている場合はＳ１７０に進む。
【００７２】
Ｓ１７０では、初期表示画面４２を一定時間表示させた後、確認画面４３を表示させる。Ｓ１８０では、確認画面４３において機能実行開始ボタン４３ａが押されたか否か判断する。機能実行開始ボタン４３ａが押されていない場合は（Ｓ１８０：ＮＯ）、Ｓ２１０で、設定値変更ボタン４３ｂが押されたか否か判断する。設定値変更ボタン４３ｂが押された場合は（Ｓ２１０：ＹＥＳ）、Ｓ２２０で設定値の変更処理を受け付けて、Ｓ１８０に戻る。設定値変更ボタン４３ｂが押されていない場合は（Ｓ２１０：ＮＯ）、Ｓ１８０に戻る。なお、確認画面４３においては登録ボタン４３ｃが押される可能性もあるが、登録ボタン４３ｃが押された場合の処理については、図８では省略している。
【００７３】
Ｓ１８０で、機能実行開始ボタン４３ａが押された場合は（Ｓ１８０：ＹＥＳ）、Ｓ１９０に進む。Ｓ１９０では、ショートカットとして登録されている機能（本実施形態ではスキャンデータ処理機能）を実行する。実行中は、機能実行中画面４４を表示させる。登録されている機能が完了すると、Ｓ２００に進む。
【００７４】
Ｓ２００では、実行されたショートカットに対してワンタッチ機能が有効に設定されているか否か判断する。ワンタッチ機能が無効に設定されている場合は（Ｓ２００：ＮＯ）、Ｓ１１０に戻る。ワンタッチ機能が有効に設定されている場合は（Ｓ２００：ＹＥＳ）、Ｓ１４０に戻り、直前に実行されたショートカットの登録済みショートカットボタンを有するショートカットメニュー画面４１を表示させる。
【００７５】
Ｓ１５０で、登録済みショートカットボタンが押されていない場合は（Ｓ１５０：ＮＯ）、図９のＳ３１０に進む。Ｓ３１０では、ショートカット登録ボタンが押されたか否か判断する。ショートカット登録ボタンが押された場合は（Ｓ３１０：ＹＥＳ）、Ｓ３２０で、ショートカットの新規設定入力を受け付ける。具体的には、図３の初期選択画面５１から図４の名称入力画面５６に至るまでの手順で設定入力を受け付ける。Ｓ３３０では、ワンタッチ機能の有効又は無効の設定入力を受け付ける。具体的には、図４のワンタッチ機能設定画面５７を表示させて有効又は無効の設定入力を受け付ける。これにより、ショートカットの新規登録が完了する。登録完了後は、Ｓ１１０に戻る。
【００７６】
Ｓ３１０で、ショートカット登録ボタンが押されていない場合は（Ｓ３１０：ＮＯ）、Ｓ３４０で、総合設定ボタン４１ｄが押されたか否か判断する。総合設定ボタン４１ｄが押されていない場合は（Ｓ３４０：ＮＯ）、Ｓ４３０で、タイムアウトしたか否か判断する。具体的には、ショートカットメニュー画面４１が継続して一定時間以上表示されているか否か判断する。まだタイムアウトしていない場合はＳ１５０に戻り、タイムアウトした場合はＳ１１０に戻る。
【００７７】
Ｓ３４０で、総合設定ボタン４１ｄが押された場合は（Ｓ３４０：ＹＥＳ）、設定メニュー画面６１を表示させる。ここで、説明の簡素化のため、設定メニュー画面６１でショートカット設定選択ボタン６１ａが押されたものとして、説明を続ける。設定メニュー画面６１でショートカット設定選択ボタン６１ａが押されると、Ｓ３５０で、ショートカット設定方法選択画面６２を表示させる。
【００７８】
Ｓ３６０では、ショートカット設定方法選択画面６２において個別設定選択ボタン６２ａが押されたか否か判断する。個別設定選択ボタン６２ａが押された場合は（Ｓ３６０：ＹＥＳ）、Ｓ３２０に進む。この場合、特定のショートカットの内容を、ワンタッチ機能を含み、個別に編集することができる。個別設定選択ボタン６２ａが押されていない場合、即ちワンタッチ機能設定選択ボタン６２ｂが押された場合は（Ｓ３６０：ＮＯ）、Ｓ３７０で、一括設定選択画面８１を表示させる。
【００７９】
Ｓ３８０では、一括設定選択画面８１において、全選択ボタン８１ａが押されたか否か判断する。全選択ボタン８１ａが押された場合は（Ｓ３８０：ＹＥＳ）、Ｓ３９０で、登録されている全てのショートカットについて、一括して、ワンタッチ機能の有効又は無効の選択を受け付けて、Ｓ１１０に戻る。Ｓ３９０では、具体的には、ワンタッチ機能設定画面８２を表示させて、有効又は無効の選択を受け付ける。
【００８０】
Ｓ３８０で、全選択ボタン８１ａが押されていない場合は（Ｓ３８０：ＮＯ）、Ｓ４００に進む。Ｓ４００では、タブ毎選択ボタン８１ｂが押されたか否か判断する。タブ毎選択ボタン８１ｂが押された場合は（Ｓ４００：ＹＥＳ）、Ｓ４１０で、タブ選択画面８３を表示させることによって設定対象のタブの選択を受け付ける。Ｓ４２０では、選択されたタブ内において登録されている全てのショートカットについて、一括して、ワンタッチ機能の有効又は無効の選択を受け付けて、Ｓ１１０に戻る。
【００８１】
Ｓ４００で、タブ毎選択ボタン８１ｂが押されていない場合は（Ｓ４００：ＮＯ）、Ｓ４３０に進む。Ｓ４３０では、機能種別毎選択ボタン８１ｃが押されたか否か判断する。機能種別毎選択ボタン８１ｃが押されていない場合は（Ｓ４３０：ＮＯ）、Ｓ３８０に戻る。  機能種別毎選択ボタン８１ｃが押された場合は（Ｓ４３０：ＹＥＳ）、Ｓ４４０で、種別選択画面８４を表示させることによって設定対象の機能種別の選択を受け付ける。Ｓ４５０では、選択された機能種別に関して登録されている全てのショートカットについて、一括して、ワンタッチ機能の有効又は無効の選択を受け付けて、Ｓ１１０に戻る。
【００８２】
（９）実施形態の効果
以上説明した本実施形態のスキャナ１０によれば、ショートカットを、通常手順が実行される通常パターン、又は簡易手順が実行される簡易パターンで実行させることができる。しかも、ショートカットを通常パターンで実行させるかそれとも簡易パターンで実行させるかを、ショートカット毎に個別に設定できる。具体的には、ワンタッチ機能を有効又は無効に設定することで可能となる。ワンタッチ機能を有効に設定すれば、ショートカット登録された機能を通常よりもより迅速に実行させることができる。そのため、シュートカットの使い勝手、操作性が向上する。例えば、スキャンデータを外部に送信するショートカットを実行させる場合に、ショートカットの内容を確認してから実行させたい場合にはワンタッチ機能を無効に設定すればよく、確認作業を省いてすぐに実行させたい場合にはワンタッチ機能を有効に設定すればよい。
【００８３】
特に、本実施形態では、ワンタッチ機能を有効に設定すると、無効に設定されている場合に行われる画面表示処理が全て省かれる。これにより、ショートカットを実行させるとすぐに該当機能が実行開始されるため、ショートカットを迅速に実行、終了させることができる。
【００８４】
本実施形態では、スキャンデータ処理機能に対してショートカットを登録すると、ショートカットの実行時に通常は確認画面４３が表示されてユーザが入力操作を行う必要があるが、ワンタッチ機能を有効に設定すると、そのような入力操作が省かれる。即ち、スキャンデータ処理機能であっても、ユーザによる入力操作を要求することなく機能を実行させることができる。そのため、スキャンデータ処理機能に対するショートカットを実行させる場合におけるユーザの使い勝手をより効果的に向上させることができる。
【００８５】
本実施形態では、ワンタッチ機能の有効、無効の設定を、ショートカット毎に個別に設定できるだけでなく、複数のショートカットに対して一括して設定することもできる。そのため、ワンタッチ機能の有効、無効の設定を効率的に行うことができる。
【００８６】
本実施形態では、ショートカットメニュー画面４１をホーム画面に設定することができる。そのため、ホーム画面をショートカットメニュー画面４１に設定することで、ショートカットをより迅速に実行させることができる。また、ホーム画面としてショートカットメニュー画面４１以外の他の基本画面が設定されていても、ワンタッチ機能が有効設定されているショートカットを実行した場合には、そのショートカットの機能の終了後は、一旦、元のショートカットメニュー画面４１に戻る。そのため、ショートカットを連続して実行させたい場合に、ホーム画面を経ることなく直接ショートカットメニュー画面４１から繰り返し実行させることができる。
【００８７】
本実施形態では、ショートカットメニュー画面４１に表示される登録済みショートカットボタンの色が、ワンタッチ機能が有効に設定されているか否かに応じて区別される。そのため、ユーザは、登録済みショートカットボタンの色を見ることで、対応するショートカットに対するワンタッチ機能が有効、無効の何れに設定されているのかを容易に判断することができる。
【００８８】
なお、本実施形態において、スキャナ１０は本発明の機能実行装置の一例に相当する。タッチパネル２１は本発明の入力部の一例に相当する。スキャナ１０のＣＰＵ１１は本発明の制御部の一例に相当する。ワンタッチ機能は本発明の簡易実行モードの一例に相当する。ショートカット開始後に初期表示画面４２を表示させる処理は本発明の実行機能表示処理の一例に相当する。確認画面４３でユーザの入力操作を要求する処理は本発明の入力要求処理の一例に相当する。ワンタッチ機能を一括設定する際に選択可能なタブ及び機能種別は、本発明のグループの一例に相当する。ホーム画面は本発明の待機画面の一例に相当し、そのうち基本画面は本発明の初期画面の一例に相当し、ショートカットメニュー画面は本発明の選択画面の一例に相当する。ホームボタン設定画面７４でホーム画面の設定選択を受け付ける処理は本発明の画面設定処理の一例に相当する。待機期間中にホーム画面を表示させる処理は本発明の画面表示処理の一例に相当する。登録済みショートカットボタン４１ａ，４１ｂは本発明のショートカット画像の一例に相当する。Ｓ３２０〜Ｓ３３０の処理は本発明の第１の登録処理及び第２の登録処理の一例に相当する。Ｓ３３０の処理は本発明のモード設定処理の一例に相当する。Ｓ２００の処理は本発明の画面切替処理の一例に相当する。
【００８９】
［他の実施形態］
（１）ワンタッチ機能の有効設定時に具体的にどのような処理手順を経てショートカットを実行（ひいては登録されている機能を実行）させるかについては、適宜決めることができる。
【００９０】
上記実施形態では、ワンタッチ機能を有効に設定すると、初期表示画面４２及び確認画面４３を全て省略して、すぐに登録機能が開始される構成であったが、このように全ての画面表示処理を省くのは一例である。例えば、初期表示画面４２のみを省いてもよいし、確認画面４３のみを省いてもよい。また、初期表示画面４２及び確認画面４３を省いて代わりに別の画面表示処理を設けるようにしてもよい。
【００９１】
また、例えば通常手順においてユーザによる入力操作が複数回要求される場合には、簡易手順として、複数回の入力操作のうち少なくとも１つ、複数、又は全てを省くようにしても良い。
【００９２】
（２）ショートカットに対してワンタッチ機能が有効又は無効のどちらに設定されるかを区別する方法として、ショートカットボタンの色で区別する方法は、あくまでも一例である。他の方法によって設定状態を認識できるようにしてもよい。
【００９３】
（３）ショートカットに登録可能な機能は、スキャンデータ処理機能に限定されない。スキャナ１０で実行可能な各種の機能について、ショートカットを登録できるようにしてもよい。
【００９４】
（４）本発明の適用は、スキャナ１０への適用に限定されない。特定の機能を実行可能なあらゆる種類の機能実行装置に対して本発明を適用可能である。
（５）その他、本発明は、上記の実施形態に示された具体的手段や構造等に限定されるものではなく、本発明の要旨を逸脱しない範囲において種々の形態を採り得る。例えば、上記実施形態における１つの構成要素が有する機能を複数の構成要素として分散させたり、複数の構成要素が有する機能を１つの構成要素に統合したりしてもよい。また、上記実施形態の構成の少なくとも一部を、同様の機能を有する公知の構成に置き換えてもよい。また、上記実施形態の構成の一部を、課題を解決できる限りにおいて省略してもよい。また、上記実施形態の構成の少なくとも一部を、他の上記実施形態の構成に対して付加、置換等してもよい。なお、特許請求の範囲に記載の文言から特定される技術思想に含まれるあらゆる態様が本発明の実施形態である。
【符号の説明】
【００９５】
１…画像読取システム、１０…スキャナ、１１，３１…ＣＰＵ、１２，３２…ＲＯＭ、１３，３３…ＲＡＭ、１４…ＮＶＲＡＭ、１５…画像読取部、１６，３５…操作部、１７，３６…表示部、１８，３７…ネットワークインタフェース、１９…ＵＳＢインタフェース、２０…回線接続部、２１…タッチパネル、２２…ディスプレイ、３０…ＰＣ、４１…ショートカットメニュー画面、４１ａ，４１ｂ…登録済みショートカットボタン、４１ｃ…ショートカット登録ボタン、４１ｄ，７１ａ…総合設定ボタン、４２…初期表示画面、４３…確認画面、４３ａ…機能実行開始ボタン、４３ｂ…設定値変更ボタン、４３ｃ…登録ボタン、４４…機能実行中画面、５０…ＦＴＰサーバ、５１…初期選択画面、５１ａ…スキャン選択ボタン、５２…作成種類選択画面、５２ａ…スキャンｔｏＵＳＢ選択ボタン、５３…作成前確認画面、５３ａ，５５ａ，５６ａ，５７ｂ…ＯＫボタン、５４…詳細設定画面、５４ａ…ショートカット登録ボタン、５４ｂ…設定値変更ボタン、５５…設定内容確認画面、５６…名称入力画面、５７…ワンタッチ機能設定画面、５７ａ…チェックボックス、６１…設定メニュー画面、６１ａ…ショートカット設定選択ボタン、６２…ショートカット設定方法選択画面、６２ａ…個別設定選択ボタン、６２ｂ…ワンタッチ機能設定選択ボタン、６３…設定対象選択画面、６４…設定種別選択画面、６４ａ…編集選択ボタン、７１…第１スキャンメニュー画面、７１ｂ…ショートカット選択ボタン、７２…基本設定メニュー画面、７２ａ…表示ボタン設定選択ボタン、７３…ボタン設定選択画面、７３ａ…ホームボタン設定選択ボタン、７４…ホームボタン設定画面、７４ａ…第１ショートカット選択ボタン、８１…一括設定選択画面、８１ａ…全選択ボタン、８１ｂ…タブ毎選択ボタン、８１ｃ…機能種別毎選択ボタン、８２…ワンタッチ機能設定画面、８２ａ…有効設定ボタン、８２ｂ…無効設定ボタン、８３…タブ選択画面、８４…種別選択画面、１００…インターネット、１１０…サーバ、４１１…タブ表示領域、４１２…ショートカットボタン表示領域、４２１…ショートカット名表示領域、４３１…設定内容表示領域、４４１…実行中機能表示領域、５４１…設定内容表示領域、５６１…ショートカット名入力領域。
【図１】
2015194940.tif 000003
【図８】
2015194940.tif 000004
【図９】
2015194940.tif 000005
【図２】
2015194940.tif 000006
【図３】
2015194940.tif 000007
【図４】
2015194940.tif 000008
【図５】
2015194940.tif 000009
【図６】
2015194940.tif 000010
【図７】
2015194940.tif 000011